(57)【要約】【目的】山川等の行楽地にてバーベキュー等の野外食事において、食材，使い捨て食器の持ち運びと、使用後に発生したゴミの持ち帰りを兼用でき、環境保護に優れた多目的バッグを提供すること。【構成】直方体形状とし且つ上方を開口部１ｍとした折り畳み自在とした収納本体部１と、収納本体部１の正面側部１ａ及び背面側部１ｂの上端に形成された押え部２と、押え部２の折り返し状態を固定する少なくとも２つのホック３と、ホック３を介して正面側部１ａと前記背面側部１ｂに装着される持手４とからなるバッグＡと、バッグＡ内に収納且つ取り外し自在とした合成樹脂製のゴミ袋５からなること。押え部２は、正面側部１ａ及び背面側部１ｂの長手方向に沿って帯状且つ個別に形成され、ゴミ袋５との開口部付近は、収納本体部１の開口部箇所と押え部２によって挟持され、ホック３のオスホック部３１とメスホック部３２との接合によって固定される構成とすること。【選択図】      図１
2014080256.tif 000002
【特許請求の範囲】
【請求項１】
正面側部，背面側部，正面マチ部，背面マチ部及び底面部とからなり直方体形状とし且つ上方を開口部とした折り畳み自在とした収納本体部と、該収納本体部の正面側部及び背面側部の上端に形成され且つ前記正面側部及び前記背面側部の裏面側に折返し自在とした押え部と、該押え部の折り返し状態を固定する少なくとも２つのホックと、該ホックを介して前記正面側部と前記背面側部に装着される持手とからなるバッグと、該バッグ内に収納且つ取り外し自在とした合成樹脂製のゴミ袋とからなり、前記押え部は、前記正面側部及び前記背面側部の長手方向に沿って帯状且つ個別に形成され、前記ゴミ袋との開口部付近は、前記収納本体部の開口部箇所と前記押え部によって挟持されると共に、前記ホックのオスホック部とメスホック部との接合によって固定される構成としてなることを特徴とする多目的バッグ。
【請求項２】
請求項１において、前記ホックは表面をフラット面としたメスホック部のフラット面が収納本体部の外方側に露出するように装着されてなることを特徴とする多目的バッグ。
【請求項３】
請求項１又は２において、前記押え部は、前記正面マチ部，前記背面マチ部のそれぞれの長手方向に沿って個別に形成されると共に、前記正面側部，前記背面側部に形成された押え部と共にそれぞれが相互に非連続としてなることを特徴とする多目的バッグ。
【請求項４】
請求項１，２又は３のいずれか１項の記載において、前記ホックは前記収納本体部の前記正面マチ部及び背面マチ部のそれぞれの上端に形成された前記押え部に装着されてなることを特徴とする多目的バッグ。
【請求項５】
請求項１，２，３又は４のいずれか１項の記載において、前記持手は、長尺な肩掛け構造としてなることを特徴とする多目的バッグ。
【請求項６】
請求項１，２，３,４又は５のいずれか１項の記載において、前記収納本体部の正面マ
チ部及び背面マチ部に折り目線が形成されてなることを特徴とする多目的バッグ。
【請求項７】
請求項１，２，３，４，５又は６のいずれか１項の記載において、前記バッグは、紙を材質としなることを特徴とする多目的バッグ。
【請求項８】
請求項７において、前記バッグは、紙材に樹脂被覆された材質としてなることを特徴とする多目的バッグ。
【請求項９】
請求項１，２，３，４，５又は６のいずれか１項の記載において、前記バッグは、合成樹脂を材質としてなることを特徴とする多目的バッグ。
【発明の詳細な説明】
【技術分野】
【０００１】
本発明は、山川等の行楽地にてバーベキュー等の野外食事において、食材，使い捨て食器の持ち運びと、これらの物の使用後に発生したゴミの持ち帰りを兼用でき、特に環境保護に優れた多目的バッグに関する。
【背景技術】
【０００２】
近年、レジャーとして、山や川辺等の行楽地において、食材，使い捨て食器等を持ち運び、バーベキュー等の食事を行う人々が増えている。そして、食事が終了すると、食材の残りや、使い捨て食器は、ゴミとなる。このようなゴミをそのまま放置したり、きちんとした後片付けを行わずに帰ってしまう事態が増加し、その結果、行楽地における自然環境を破壊するという極めて深刻な問題が発生している。
【０００３】
しかし、野外において食事をするために、普通でも食材，食器等の持ってゆく荷物が多くなる傾向があり、そのあとのゴミを溜めておくゴミ収納袋又はゴミ箱を一緒に持ってゆくことは、荷物がさらに増えるため、これが負担となり、結局はゴミ収納袋又はゴミ箱を持って行かないことが多くなる。したがって、ゴミの後片付けをすることがなかなか困難なことになり、ゴミを現地にて処分することとなり、現地にゴミがそのまま残されてしまうという最悪の状況となっている。
【０００４】
また、一般に市販されているゴミ袋を持ってゆくことは容易であるが、帰りにゴミがいっぱい詰まったゴミ袋をそのまま持って帰るには、帰りの電車等の公共交通機関で他人に迷惑をかけてしまうことがある。そこで、野外等の行楽地に携行することができるゴミ袋が種々開発されている。この種の具体的なものとして、例えば特許文献１が挙げられる。
【先行技術文献】
【特許文献】
【０００５】
【特許文献１】実用新案登録第３０３１１７３号公報
【発明の概要】
【発明が解決しようとする課題】
【０００６】
特許文献１に記載の発明では、織布製のバッグ（Ａ）の底側に、ファスナー（１）で開閉自在とした出入口部（２）を設けた底室（４）を、織布の表裏の一部を縫糸（３）で縫合することにより形成し、前記底室（４）内に連続ごみ袋の巻き込みロール体（Ｂ）を収め、ロール体（Ｂ）から引き出したビニール袋（５）をバッグの開口部で折り返し、その折り返し部分を、バッグ側に設けたボタン（１２）と帯片（１４）の口金（１３）とにより固く保持し得る構成としたものである。
【０００７】
この特許文献１では、ゴミ袋としてのロール体（Ｂ）が、織布製のバッグ（Ａ）の底側に装着されたものであり、構造が複雑となり、また、ゴミ袋として使用するロール体（Ｂ）自体も専用の特殊なものとなり、通常のゴミ袋よりも手に入り難いし、且つ高価なものとなっている。
【０００８】
このように、特許文献１に開示されたものでは、汎用性に乏しいものとなってしまい、それゆえに、気軽に使用でき且つ低価格なものが期待されている。そこで、本発明が解決しようとする技術的課題（目的）は、行楽地等の野外でバーベキュー等の食事を行うことにおいて、行きは荷物の負担にならず、帰りはゴミを持ち帰るのに極めて簡単にでき、しかも構成が極めて簡単である多目的バッグを提供することである。
【課題を解決するための手段】
【０００９】
そこで、発明者は、上記課題を解決すべく、鋭意，研究を重ねた結果、請求項１の発明を、正面側部，背面側部，正面マチ部，背面マチ部及び底面部とからなり直方体形状とし且つ上方を開口部とした折り畳み自在とした収納本体部と、該収納本体部の正面側部及び背面側部の上端に形成され且つ前記正面側部及び前記背面側部の裏面側に折返し自在とした押え部と、該押え部の折り返し状態を固定する少なくとも２つのホックと、該ホックを介して前記正面側部と前記背面側部に装着される持手とからなるバッグと、該バッグ内に収納且つ取り外し自在とした合成樹脂製のゴミ袋とからなり、前記押え部は、前記正面側部及び前記背面側部の長手方向に沿って帯状且つ個別に形成され、前記ゴミ袋との開口部付近は、前記収納本体部の開口部箇所と前記押え部によって挟持されると共に、前記ホックのオスホック部とメスホック部との接合によって固定される構成としてなる多目的バッグとしたことにより、上記課題を解決した。
【００１０】
請求項２の発明を、請求項１において、前記ホックは表面をフラット面としたメスホック部のフラット面が収納本体部の外方側に露出するように装着されてなる多目的バッグとしたことにより、上記課題を解決した。
【００１１】
請求項３の発明を、請求項１又は２において、前記押え部は、前記正面マチ部，前記背面マチ部のそれぞれの長手方向に沿って個別に形成されると共に、前記正面側部，前記背面側部に形成された押え部と共にそれぞれが相互に非連続としてなる多目的バッグとしたことにより、上記課題を解決した。請求項４の発明を、請求項１，２又は３のいずれか１項の記載において、前記ホックは前記収納本体部の前記正面マチ部及び背面マチ部のそれぞれの上端に形成された前記押え部に装着されてなる多目的バッグとしたことにより、上記課題を解決した。
【００１２】
請求項５の発明を、請求項１，２，３又は４のいずれか１項の記載において、前記持手は、長尺な肩掛け構造としてなる多目的バッグとしたことにより、上記課題を解決した。請求項６の発明を、請求項１，２，３,４又は５のいずれか１項の記載において、前記収
納本体部の正面マチ部及び背面マチ部に折り目線が形成されてなる多目的バッグとしたことにより、上記課題を解決した。
【００１３】
請求項７の発明を、請求項１，２，３，４，５又は６のいずれか１項の記載において、前記バッグは、紙を材質としなる多目的バッグとしたことにより、上記課題を解決した。請求項８の発明を、請求項７において、前記バッグは、紙材に樹脂被覆された材質としてなる多目的バッグとしたことにより、上記課題を解決した。請求項９の発明を、請求項１，２，３，４，５又は６のいずれか１項の記載において、前記バッグは、合成樹脂を材質としてなる多目的バッグとしたことにより、上記課題を解決した。
【発明の効果】
【００１４】
請求項１の発明では、折り畳み自在とした収納本体部の開口部には、押え部が形成され、収納本体部の内方側に折り返し、ホックにて折り返し状態を保持する構成となっている。そして、収納本体部内には合成樹脂製のゴミ袋が配置され、該ゴミ袋の開口部が前記押え部とホックによって固定されることができる。
【００１５】
これによって、バッグは、常時略二重構造とすることができる。また、ゴミ袋は、合成樹脂製であるため、防水性を有しており、肉又は野菜等の水分の多い食品等から水が漏れだしても、収納本体部に内装されたゴミ袋から水が漏れだすことはなく、収納本体部を汚すことなく、ひいては自然環境を汚すことがない。つまり、本発明の多目的バッグは、防水性を備えたものである。
【００１６】
特に、ホックは、オスホック部とメスホック部とから構成され、ゴミ袋の開口部分の周縁を貫通するようにして、前記オスホック部とメスホック部とを嵌合接合により留めることになる。このとき、ゴミ袋の開口部周縁には、複数のオスホック部の嵌合凸部により複数個所の孔が穿孔され、この複数個所の孔に嵌合凸部が貫通して、メスホック部の嵌合孔部に嵌合し、収納本体部内にゴミ袋を装着固定する構造となる。
【００１７】
これによって、収納本体部とゴミ袋との開口部周縁同士が強固に接合固定され、収納本体部の開口部を開くときに、ゴミ袋の開口部も同様に開き、また収納本体部内でゴミ袋がずれようとしても、ゴミ袋の開口部は、収納本体部の開口部から外れてしまうことを確実に防止でき、収納物の出し入れを良好に維持することができる。
【００１８】
このように、バッグの収納本体部に内装されたゴミ袋は、両開口部が押え部とホックによって固定されることにより、ゴミ袋の上方開口部が収納本体部の開口部と略同一状態で開き、食材や、使い捨てタイプの収納物の出し入れを容易にできる。さらに、ゴミ袋は、開口部箇所が前記収納本体部側のホックにて固定されているので、ホックのオスホック部とメスホック部とを分離するように外すことのみでゴミ袋を収納本体部から容易に取り外すことができる。
【００１９】
本発明は、以上のような構成によって、山川等の野外行楽地で、バーベキュー等の野外食事を楽しむ場合に、行きは、収納本体部内に配置されたゴミ袋に肉，野菜等の食材及び使い捨て食器等を収納する収納袋としての役目をなす。また、この収納袋としての役目をなすゴミ袋に、収納された食材を冷やした状態に保持するための保冷剤を一緒に収納することにより、ゴミ袋の防水性により保冷剤の溶水が収納本体部の外部に漏れるのを防止できる。
【００２０】
また、帰りには、ゴミ袋を残飯や、使用済みの使い捨て食器を入れることができ、行楽地にゴミを捨てることなく簡単に持ち帰ることができる。つまり、収納本体部に収納されるゴミ袋は、行楽地に行くときには、収納袋の役目をなし、帰りの時にはゴミ袋は、本来のゴミ袋としての役目をなすものである。
【００２１】
そして、持ち帰りにおけるゴミの入ったゴミ袋は、押え部と収納本体部の開口部とを接合するホックのオスホック部とメスホック部とを外すことで、収納本体部から簡単に取り外すことができ、所定のゴミ収集所に廃棄することができる。このように、本発明を使用することで、行楽地にてバーベキュー等の自炊を楽しむことができると共に、ゴミをそこに放置することなく環境保全を実現できる。
【００２２】
また、前記収納本体部は、開口部を方形状とし且つ前記持手が装着された両側部と、両側部間に接続された両マチ部とからなる直方体形状としたものであり、持手を備えたことで、持ち運びが容易となり、収納本体部に装着されるゴミ袋は、収納本体部の形状に倣った形状にすることができ、収納物を取り出し易くなり、また、ゴミ袋の開口部が収納本体部の方形状の形状にしたがって略方形状となり、ゴミ袋にゴミを入れることが容易にできる。
【００２３】
さらに、持手は、ホックを介して（利用して）前記正面側部と前記背面側部にそれぞれ装着される構成としたことにより、持手はバッグに縫製によって装着した場合よりも、より一層強固に固着することができ、最も重量的負担が係り易い持手の耐久性を向上させることができる。なお、持手を収納本体部に対して、前記ホックと共に、縫製による固着手段を加えることで、さらに、強固なる接合固着にすることができる。
【００２４】
請求項２の発明では、ホックは、表面をフラット面としたメスホック部のフラット面が収納本体部の正面側部及び背面側部の外方側に露出するように装着されたことにより、前記メスホック部のフラット面と、収納本体部の正面側部及び背面側部とが形状的に馴染み、ホック装着箇所における外観を良好にしつつ、押え部を収納本体部の開口部付近に接合させる役目を十分になすことができる。
【００２５】
請求項３の発明では、押え部は、正面側部，背面側部，正面マチ部，背面マチ部のそれぞれの長手方向に沿って個別に形成されると共に、それぞれが相互に非連続としたことで、それぞれの隣り合う押え部同士は、折り返すときに、相互に干渉することがなく、収納本体部の開口部箇所における内方側に極めて折り返し易くなる構成にすることができる。
【００２６】
さらに、このような構成としたことにより、正面側部，背面側部，正面マチ部，背面マチ部のそれぞれの押え部によって、ゴミ袋の開口部周囲を完全に覆うことができるの。したがって、ゴミ袋の開口部の縁は、収納本体部の開口部では、押え部によって覆い隠され、ゴミ袋が目視されない状態にでき、バッグの外観性を良好にできる。
【００２７】
請求項４の発明では、ホックは、前記収納本体部の前記正面マチ部及び背面マチ部及びそれぞれの上端に形成された前記押え部に装着されることによって、ホックの総数が結果的に増加することとなり、収納本体部に収納したゴミ袋の開口部をより一層強固に固定することができる。
【００２８】
請求項５の発明では、持手は、長尺な肩掛け構造としたことにより、バッグを肩掛けタイプ或いはトートバッグのように使用することができ、レジャーバッグとして良好に機能させることができる。請求項６の発明では、収納本体部の正面マチ部及び背面マチ部に折り目線が形成されたことにより、収納本体部及び持手を含めたバッグの折り畳みが極めて容易にできる。
【００２９】
請求項７の発明では、バッグは、紙を材質としたことにより、低価格に提供することができ、また環境を害することなく、廃棄することができる。また、請求項８の発明では、バッグは、紙材に樹脂被覆された材質としたことにより、防水性に優れたものにできる。請求項９の発明では、バッグは、合成樹脂を材質としたことにより、紙製とした場合よりもさらに耐久性に優れたものにできる。
【図面の簡単な説明】
【００３０】
【図１】（Ａ）は本発明の第１実施形態における一部切除した斜視図、（Ｂ）はバッグとゴミ袋とを分離した斜視図、（Ｃ）は（Ａ）のＹ1−Ｙ1矢視断面略示図、（Ｄ）は（Ｃ）の（ア）部拡大図である。
【図２】（Ａ）は本発明の第１実施形態における収納用容器の開口部箇所の斜視図、（Ｂ）は（Ａ）の（イ）部箇所における押え部を折り返してゴミ袋の開口部周縁を挟持しようとする途中の状態を示す拡大斜視図、（Ｃ）はバッグの収納本体部にゴミ袋を固定した状態の一部切除した斜視図である。
【図３】（Ａ）は本発明を行楽地に持って行くためにバッグにゴミ袋を収納する状態を示す断面略示図、（Ｂ）はバッグに収納したゴミ袋に収納物を入れた状態を示す断面略示図、（Ｃ）はゴミ袋を開口部周縁を収納本体部と押え部で挟持しつつホックにて固定する行程を示す要部断面図である。
【図４】（Ａ）は本発明を行楽地から持って帰るときのゴミ袋にゴミとなった収納物を収納した状態を示す断面略示図、（Ｂ）は帰宅したときにバッグに収納したゴミ袋を取り出した状態を示す断面略示図、（Ｃ）はゴミ袋を開口部周縁が収納本体部と押え部で挟持且つホックにて固定された状態から押え部を開いてゴミ袋を取り外す行程を示す要部断面図である。
【図５】（Ａ）は本発明の収納本体部を折り目線に沿って折り畳んだ状態の斜視図、（Ｂ）は本発明の第２実施形態であって持手を肩掛けタイプとした一部切除した斜視図、（Ｃ）は本発明の第２実施形態における押え部を開いた状態の要部斜視図。
【発明を実施するための形態】
【００３１】
以下、本発明の実施形態を図面に基づいて説明する。本発明には、２つの実施形態が存在し、まず第１実施形態においては、その構成は、主にバッグＡと合成樹脂製のゴミ袋５とからなる（図１参照）。さらに、バッグＡは収納本体部１と、押え部２と、ホック３と、持手４とからなる（図１参照）。  
【００３２】
バッグＡの材質は、紙又は紙材に樹脂被覆されたものが使用される。また、バッグＡは、合成樹脂を材質としたり、布製とすることもある。布製の場合では、通常の生地に加えて、帆布、キャンパス生地等の比較的耐久性のある生地等である。その他の材質として、革（合成皮革も含む）を使用することもある。
【００３３】
収納本体部１は、上方側に開口部１ｍが存在する〔図１（Ａ）乃至（Ｃ），図２（Ａ）参照〕。収納本体部１は、長方形又は正方形とした略方形状の開口部１ｍを有している（図１，図２参照）。また、収納本体部１は、全体の形状が略直方体状の収納容器として形成されたもので、対向する正面側部１ａ，背面側部１ｂ及び対向する正面マチ部１ｃ，背面マチ部１ｄ及び底面部１ｅとから構成されたものである。
【００３４】
ここで、直方体とは、各面が長方形又は正方形とした面によって構成された形状のものである。また、前述した、正面側部１ａ，背面側部１ｂ，正面マチ部１ｃ，背面マチ部１ｄにおける正面及び背面の位置を示す名称を付したのは、それぞれの部位又は位置関係を理解し易いように便宜上付与した名称である〔図１（Ａ）乃至（Ｃ）参照〕。
【００３５】
したがって、収納本体部１の正面側部１ａと背面側部１ｂについては、実質的には、同一の形状であり、バッグＡを実際に使用する人が手に持手４を介して持った時に、その人を基準にして収納本体部１の身体より離れた遠い側を正面側部１ａとし、身体に近い側を背面側部１ｂとする。さらに、身体の前方側に対応するマチ部を正面マチ部１ｃとし、身体の後方側に対応するマチ部を背面側部１ｂとする。
【００３６】
しかし、前述したように、正面，背面については、説明を理解し易くするために便宜上付与した名称であり、したがって、収納本体部１の正面側部１ａ，背面側部１ｂ，正面マチ部１ｃ，背面マチ部１ｄの位置については、前述した構成に限定されるものではなく、上記で定めた正面側部１ａと背面側部１ｂ及び正面マチ部１ｃと背面マチ部１ｄとをそれぞれ反対の位置に変更しても構わない。
【００３７】
収納本体部１は、折り畳み自在としたものであり、前記正面マチ部１ｃ，背面マチ部１ｄには、それぞれ折り目線１ｆが形成されている〔図１（Ｂ）参照〕。該折り目線１ｆは、正面マチ部１ｃと背面マチ部１ｄとがその折り目線１ｆに沿って折り畳み易くなるように、折り曲げの案内クセを付けたものである。折り目線１ｆは、正面マチ部１ｃ及び背面マチ部１ｄのその上端から上下方向略中間位置までは垂直線状に形成され、中間位置から下方に向かって三角山形状となるように２本の傾斜線状に形成されている〔図１（Ｂ）参照〕。
【００３８】
収納本体部１の折り畳み時には、正面マチ部１ｃ及び背面マチ部１ｄは、前記折り目線１ｆに沿って折り畳むと、容易に折り畳みが完了でき、且つ収納に好適な薄板状にすることができる〔図５（Ａ）参照〕。なお、折り目線１ｆを底面部１ｅにおいて、正面マチ部１ｃから背面マチ部１ｄに向かって直線状に形成することで、収納本体部１の折り畳み作業は、より一層、効率的にできる。
【００３９】
収納本体部１の開口部１ｍ箇所で、且つ正面側部１ａ，背面側部１ｂ，正面マチ部１ｃ，背面マチ部１ｄのそれぞれの上端には、押え部２，２，…が形成されている〔図１（Ａ），（Ｂ）及び図２（Ａ）等参照〕。それぞれの押え部２は、正面側部１ａ，背面側部１ｂ，正面マチ部１ｃ，背面マチ部１ｄのそれぞれの長手方向に沿って個別に形成されると共に、それぞれが相互に非連続としている〔図２（Ａ）参照〕。
【００４０】
つまり、正面側部１ａ，背面側部１ｂ，正面マチ部１ｃ，背面マチ部１ｄに形成された押え部２，２，…は、全て独立し、それぞれは、別々に折り返し状態に折り曲げることができる。これによって、各押え部２，２，…において、それぞれの隣り合う押え部２，２同士は、共に折り返すときに、相互に干渉することがなく、収納本体部１の開口部１ｍ箇所における内方側に極めて折り返し易くすることができる。
【００４１】
それぞれの押え部２は、長手方向に沿って帯形状となる〔図１（Ｃ），図２（Ａ）参照〕。そして、それぞれの押え部２は、正面側部１ａ，背面側部１ｂ，正面マチ部１ｃ，背面マチ部１ｄの開口部１ｍ付近において、それぞれの裏面側に折返し自在な構成としている。これらの押え部２，２，…には、少なくとも２つのホック３が装着されている〔図１（Ｂ），（Ｄ），図２（Ａ）等参照〕。
【００４２】
ホック３は、オスホック部３１とメスホック部３２とから構成される〔図１（Ｂ），（Ｃ），図２（Ａ），図３（Ｃ），図４（Ｃ）等参照〕。そして、正面側部１ａ，背面側部１ｂ，正面マチ部１ｃ，背面マチ部１ｄのそれぞれの上方位置にメスホック部３２が固着され、それぞれの押え部２にオスホック部３１が装着される。
【００４３】
メスホック部３２に、オスホック部３１を留めることにより、押え部２は、正面側部１ａ，背面側部１ｂ，正面マチ部１ｃ，背面マチ部１ｄの裏面側に折り返した状態で固定することができるようになっている〔図１（Ａ），（Ｃ），（Ｄ），図２（Ｃ），図３（Ｃ），図４（Ｃ）等参照〕。
【００４４】
オスホック部３１とメスホック部３２とは、それぞれがさらに２個の部材から構成されたものである。オスホック部３１は、嵌合片３１ａとカシメ固定片３１ｂとからなり、同様にメスホック部３２は、被嵌合片３２ａとカシメ固定片３２ｂとからなる。前記オスホック部３１の嵌合片３１ａは、突起形状の嵌合凸部３１ｃを有し、メスホック部３２には前記嵌合凸部３１ｃが嵌合する嵌合孔部３２ｃを有している〔図３（Ｃ），図４（Ｃ）参照〕。
【００４５】
メスホック部３２は、カシメ固定片３２ｂの表面をフラット面（略フラットに近い球面も含む））としたもので〔図１（Ｄ），図２（Ａ），図３（Ｃ），図４（Ｃ）等参照〕、該カシメ固定片３２ｂのフラット面を、収納本体部１における正面側部１ａ及び背面側部１ｂ（正面マチ部１ｃ，背面マチ部１ｄも含む）のそれぞれの外方側に向けて露出するように装着される（図１参照）。
【００４６】
このように、収納本体部１の外方に向けて、メスホック部３２のフラットな面が露出するので、収納本体部１の外面側と、メスホック部３２との形状が馴染み、バッグＡの外観性を損なうことなく、良好なものにできる。
【００４７】
また、ホック３、前述したように、正面側部１ａ，背面側部１ｂ，正面マチ部１ｃ，背面マチ部１ｄと、それぞれの上端に形成された押え部２，２，…に装着されるものとしたが、正面側部１ａ，背面側部１ｂと、それぞれの上端に形成された押え部２，２のみにホック３，３，…を装着し、正面マチ部１ｃ，背面マチ部１ｄ及びその上端の押え部２，２には、ホック３，３，…を装着しないこともある。
【００４８】
また、その反対に、正面側部１ａ，背面側部１ｂと、それぞれの上端に形成された押え部２，２にはホック３，３，…を装着しないで、正面マチ部１ｃ，背面マチ部１ｄ及びその上端の押え部２，２のみに、ホック３，３，…を装着することもある。
【００４９】
持手４は、収納本体部１の正面側部１ａと背面側部１ｂに、前記ホック３を介して装着される。具体的には、ホック３を構成するメスホック部３２をリベット状の固着具として使用するものである。持手４は、手提げタイプで、前記収納本体部１と同一材質又は異なる材質の帯状部材によって、略逆門形状又は逆Ｕ字形状に形成されたものである。また、持手４は、長尺な肩掛け構造とすることもあり、本発明をトートバッグのようにして使用することができる〔図５（Ｂ）参照〕。
【００５０】
合成樹脂製のゴミ袋５は、一般に市販されているものが使用される。具体的にはポリエチレン製又はビニール製である。したがって、収納本体部１にゴミ袋５が装着された状態で、本発明の多目的バッグは防水性を備えたものとなる。ゴミ袋５のサイズは、収納本体部１のサイズと略同等のものが好適であるが、多少の大きさの違いがあっても構わない。
【００５１】
ゴミ袋５は、前述したように、合成樹脂製であるため、防水性を有しており、収納本体部１に内装されたゴミ袋５に肉又は野菜等の水分の多い食品等の収納物６を収納したときに、たとえ水分が漏れだしても、ゴミ袋から水が漏れだすことはなく、収納本体部１を汚すことなく、ひいては自然環境を汚すこともない。
【００５２】
本発明の第２実施形態としては、基本的な構成は、前述した第１実施形態と略同等であるが、図５（Ｂ），（Ｃ）に示すように、前記押え部２，２，…は、収納本体部１の正面側部１ａと、背面側部１ｂのみに形成し、正面マチ部１ｃと背面マチ部１ｄには形成されないものとしたものである。この実施形態では、収納本体部１は、正面マチ部１ｃと背面マチ部１ｄの幅方向寸法は、第１実施形態における正面マチ部１ｃと背面マチ部１ｄの幅方向寸法よりも小さくした薄マチタイプとすることが好ましい。
【００５３】
この第２実施形態の場合には、収納本体部１に収納されるゴミ袋５は、前記収納本体部１の開口部１ｍ箇所で、正面側部１ａと背面側部１ｂのそれぞれの上端に形成された押え部２，２と、ホック３，３，…によって装着固定される〔図５（Ｂ）参照〕。
【００５４】
次に、本発明の使用方法について説明する。まず、行楽地に出かけるときの状態を、図２，図３に基づいて以下に述べる。収納本体部１の開口部１ｍを十分に広げて、収納本体部１内にゴミ袋５を収納する〔図３（Ａ）参照〕。このとき、正面側部１ａ，背面側部１ｂ，正面マチ部１ｃ，背面マチ部１ｄのそれぞれの押え部２，２，…は、開いた状態にしておく〔図２（Ａ）参照〕。
【００５５】
次に、ゴミ袋５の開口部５ｍの周縁を、収納本体部１の開口部１ｍ周縁に沿うようにして配置する。次に、正面側部１ａ，背面側部１ｂ，正面マチ部１ｃ，背面マチ部１ｄのそれぞれの押え部２，２，…を収納本体部１の内方側に折り返して〔図２（Ａ），（Ｂ）参照〕、ゴミ袋５の開口部５ｍの周縁を収納本体部１と共に覆う〔図２（Ｃ）参照〕。
【００５６】
そして、収納本体部１の正面側部１ａ，背面側部１ｂ，正面マチ部１ｃ，背面マチ部１ｄと、それぞれの押え部２，２，…に装着されたホック３，３，…のオスホック部３１とメスホック部３２とを留めることにより、嵌合凸部３１ｃがゴミ袋５の開口部５ｍ周縁に貫通して孔を開けつつ嵌合孔部３２ｃに嵌合し、収納本体部１の開口部１ｍ箇所で、ゴミ袋５の開口部５ｍが固定される。
【００５７】
このとき、前述したように、オスホック部３１の嵌合凸部３１ｃが、メスホック部３２の嵌合孔部３２ｃに嵌合されることにより、前記嵌合凸部３１ｃは、ゴミ袋５の開口部５ｍ周縁部分を貫通するので、ゴミ袋５は、収納本体部１内に極めて強固に装着される。図３（Ｃ）は、収納本体部１にゴミ袋５を収納してから固定するまでの行程を示すものである。
【００５８】
これによって、本発明のバッグＡは、ゴミ袋５と共に２重構造となる〔図１（Ｃ）参照〕。ゴミ袋５は、行楽地等の目的地に行くときは、食材，使い捨て食器等の収納物６の収納バッグとしての役目をなす〔図３（Ｂ）参照〕。このとき、収納物６と共に保冷剤を入れておくことで、食材を冷やしておくことができ、食材が傷まないようにすることができる。
【００５９】
次に、行楽地の野外でバーベキュー等の食事が終了し、後始末をすることについて、主に図４に基づいて説明する。図４（Ｃ）は、収納本体部１からゴミ袋５を分離するために、収納本体部１と押え部２，２，…とを取り外す行程を示すものである。野外の食事によって、ゴミｄが出てくる。このゴミｄは食べ残しや使い捨て食器は、収納本体部１に収納されたゴミ袋５をそのまま使用する〔図４（Ａ）参照〕。そして、バッグＡを家に持ち帰る。
【００６０】
次いで、帰宅したら、バッグＡのそれぞれの押え部２，２，…と収納本体部１とを固定しているホック３のオスホック部３１とメスホック部３２とを外して、収納本体部１の開口部１ｍと、ゴミ袋５の開口部５ｍとを分離して、収納本体部１からゴミ袋５を取り出す〔図４（Ｂ）参照〕。
【００６１】
ゴミ袋５の開口部５ｍを閉じて、そのままゴミｄの収集所に廃棄する。このように、本発明を使用することで、行楽地にてバーベキュー等の野外自炊を楽しむことができると共に、ゴミｄをそこに放置することなく、持ち帰り、環境保全を実現できる。
【符号の説明】
【００６２】
Ａ…バッグ、１…収納本体部、１ｍ…開口部、１ａ…正面側部、１ｂ…背面側部、
１ｃ…正面マチ部、１ｄ…背面マチ部、１ｅ…底面部、１ｆ…折り目線、２…押え部、
３…ホック、３１…オスホック部、３２…メスホック部、４…持手、５…ゴミ袋、
５ｍ…開口部。
【図１】
2014080256.tif 000003
【図２】
2014080256.tif 000004
【図３】
2014080256.tif 000005
【図４】
2014080256.tif 000006
【図５】
2014080256.tif 000007
【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
正面側部，背面側部，正面マチ部，背面マチ部及び底面部とからなり直方体形状とし且つ上方を開口部とした折り畳み自在とした収納本体部と、該収納本体部の正面側部，背面側部，前記正面マチ部及び前記背面マチ部の上端に形成され且つ前記正面側部，前記背面側部，前記正面マチ部及び前記背面マチ部の裏面側に折返し自在とした押え部と、該押え部の折り返し状態を固定する少なくとも２つのホックと、該ホックを介して前記正面側部と前記背面側部に装着される持手とからなるバッグと、該バッグ内に収納且つ取り外し自在とした収納本体部のサイズと略同等とし且つ行楽地等の目的地への行きは食材，使い捨て食器等の収納物を収納する役目をなすと共に帰りはゴミ入れとするゴミ袋とからなり、前記ホックはオスホック部とメスホック部とから構成され且つ前記オスホック部は嵌合片とカシメ固定片とからなり、前記メスホック部は、被嵌合片とカシメ固定片とからなり、前記ホックのメスホック部は、前記被嵌合片と前記カシメ固定片とによって前記正面側部，前記背面側部，前記正面マチ部及び前記背面マチ部の上方位置の表裏両側面に直接固着され、前記オスホック部の前記嵌合片と前記カシメ固定片はそれぞれの押え部の表裏両側面に直接固着され、前記持手は帯状部材を逆Ｕ字形状とし、前記メスホック部の前記被嵌合片と前記カシメ固定片とをリベット状の固着具として前記正面側部と前記背面側部に固着され、それぞれの前記押え部は、前記正面側部，前記背面側部，前記正面マチ部及び前記背面マチ部のそれぞれの長手方向全体に沿って帯状且つ個別に形成されると共に、前記正面側部，前記背面側部，前記正面マチ部及び前記背面マチ部に形成された前記押え部はそれぞれが相互に非連続とし、前記ゴミ袋の開口部付近は、前記収納本体部の開口箇所と前記押え部によって挟持されると共に、前記正面側部，前記背面側部，前記正面マチ部，前記背面マチ部のそれぞれの前記押え部によって、前記収納本体部の角部も含めて前記ゴミ袋の開口部周囲を覆い隠される構成とし、前記ホックのオスホック部とメスホック部との接合によって固定される構成としてなることを特徴とする多目的バッグ。
【請求項２】
請求項１において、前記ホックは表面をフラット面としたメスホック部のフラット面が収納本体部の外方側に露出するように装着されてなることを特徴とする多目的バッグ。
【請求項３】
請求項１又は２において、前記持手は、長尺な肩掛け構造としてなることを特徴とする多目的バッグ。
【請求項４】
請求項１，２又は３のいずれか１項の記載において、前記収納本体部の正面マチ部及び背面マチ部に折り目線が形成されてなることを特徴とする多目的バッグ。
【請求項５】
請求項１，２，３又は４のいずれか１項の記載において、前記バッグは、紙を材質としなることを特徴とする多目的バッグ。
【請求項６】
請求項５において、前記バッグは、紙材に樹脂被覆された材質としてなることを特徴とする多目的バッグ。
【請求項７】
請求項１，２，３又は４のいずれか１項の記載において、前記バッグは、合成樹脂を材質としてなることを特徴とする多目的バッグ。
【手続補正２】
【補正対象書類名】明細書
【補正対象項目名】０００９
【補正方法】変更
【補正の内容】
【０００９】
そこで、発明者は、上記課題を解決すべく、鋭意，研究を重ねた結果、請求項１の発明を、正面側部，背面側部，正面マチ部，背面マチ部及び底面部とからなり直方体形状とし且つ上方を開口部とした折り畳み自在とした収納本体部と、該収納本体部の正面側部，背面側部，前記正面マチ部及び前記背面マチ部の上端に形成され且つ前記正面側部，前記背面側部，前記正面マチ部及び前記背面マチ部の裏面側に折返し自在とした押え部と、該押え部の折り返し状態を固定する少なくとも２つのホックと、該ホックを介して前記正面側部と前記背面側部に装着される持手とからなるバッグと、該バッグ内に収納且つ取り外し自在とした収納本体部のサイズと略同等とし且つ行楽地等の目的地への行きは食材，使い捨て食器等の収納物を収納する役目をなすと共に帰りはゴミ入れとするゴミ袋とからなり、前記ホックはオスホック部とメスホック部とから構成され且つ前記オスホック部は嵌合片とカシメ固定片とからなり、前記メスホック部は、被嵌合片とカシメ固定片とからなり、前記ホックのメスホック部は、前記被嵌合片と前記カシメ固定片とによって前記正面側部，前記背面側部，前記正面マチ部及び前記背面マチ部の上方位置の表裏両側面に直接固着され、前記オスホック部の前記嵌合片と前記カシメ固定片はそれぞれの押え部の表裏両側面に直接固着され、前記持手は帯状部材を逆Ｕ字形状とし、前記メスホック部の前記被嵌合片と前記カシメ固定片とをリベット状の固着具として前記正面側部と前記背面側部に固着され、それぞれの前記押え部は、前記正面側部，前記背面側部，前記正面マチ部及び前記背面マチ部のそれぞれの長手方向全体に沿って帯状且つ個別に形成されると共に、前記正面側部，前記背面側部，前記正面マチ部及び前記背面マチ部に形成された前記押え部はそれぞれが相互に非連続とし、前記ゴミ袋の開口部付近は、前記収納本体部の開口箇所と前記押え部によって挟持されると共に、前記正面側部，前記背面側部，前記正面マチ部，前記背面マチ部のそれぞれの前記押え部によって、前記収納本体部の角部も含めて前記ゴミ袋の開口部周囲を覆い隠される構成とし、前記ホックのオスホック部とメスホック部との接合によって固定される構成としてなる多目的バッグとしたことにより、上記課題を解決した。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項３の発明を、請求項１又は２において、前記持手は、長尺な肩掛け構造としてなる多目的バッグとしたことにより、上記課題を解決した。請求項４の発明を、請求項１，２又は３のいずれか１項の記載において、前記収納本体部の正面マチ部及び背面マチ部に折り目線が形成されてなる多目的バッグとしたことにより、上記課題を解決した。
【手続補正５】
【補正対象書類名】明細書
【補正対象項目名】００１３
【補正方法】変更
【補正の内容】
【００１３】
請求項５の発明を、請求項１，２，３又は４のいずれか１項の記載において、前記バッグは、紙を材質としなる多目的バッグとしたことにより、上記課題を解決した。請求項６の発明を、請求項５において、前記バッグは、紙材に樹脂被覆された材質としてなる多目的バッグとしたことにより、上記課題を解決した。請求項７の発明を、請求項１，２，３又は４のいずれか１項の記載において、前記バッグは、合成樹脂を材質としてなる多目的バッグとしたことにより、上記課題を解決した。
【手続補正６】
【補正対象書類名】明細書
【補正対象項目名】００２３
【補正方法】変更
【補正の内容】
【００２３】
さらに、持手は、ホックを介して（利用して）前記正面側部と前記背面側部にそれぞれ装着される構成としたことにより、持手はバッグに縫製によって装着した場合よりも、より一層強固に固着することができ、最も重量的負担が係り易い持手の耐久性を向上させることができる。なお、持手を収納本体部に対して、前記ホックと共に、縫製による固着手段を加えることで、さらに、強固なる接合固着にすることができる。また、押え部は、正面側部，背面側部，正面マチ部，背面マチ部のそれぞれの長手方向に沿って個別に形成されると共に、それぞれが相互に非連続としたことで、それぞれの隣り合う押え部同士は、折り返すときに、相互に干渉することがなく、収納本体部の開口部箇所における内方側に極めて折り返し易くなる構成にすることができる。さらに、このような構成としたことにより、正面側部，背面側部，正面マチ部，背面マチ部のそれぞれの押え部によって、ゴミ袋の開口部周囲を完全に覆うことができる。したがって、ゴミ袋の開口部の縁は、収納本体部の開口部では、押え部によって覆い隠され、ゴミ袋が目視されない状態にでき、バッグの外観性を良好にできる。また、ホックは、前記収納本体部の前記正面マチ部及び背面マチ部及びそれぞれの上端に形成された前記押え部に装着されることによって、ホックの総数が結果的に増加することとなり、収納本体部に収納したゴミ袋の開口部をより一層強固に固定することができる。
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】変更
【補正の内容】
【００２８】
請求項３の発明では、持手は、長尺な肩掛け構造としたことにより、バッグを肩掛けタイプ或いはトートバッグのように使用することができ、レジャーバッグとして良好に機能させることができる。請求項６の発明では、収納本体部の正面マチ部及び背面マチ部に折り目線が形成されたことにより、収納本体部及び持手を含めたバッグの折り畳みが極めて容易にできる。
【手続補正１１】
【補正対象書類名】明細書
【補正対象項目名】００２９
【補正方法】変更
【補正の内容】
【００２９】
請求項５の発明では、バッグは、紙を材質としたことにより、低価格に提供することができ、また環境を害することなく、廃棄することができる。また、請求項６の発明では、バッグは、紙材に樹脂被覆された材質としたことにより、防水性に優れたものにできる。請求項７の発明では、バッグは、合成樹脂を材質としたことにより、紙製とした場合よりもさらに耐久性に優れたものにできる。